(57)【要約】本発明に係る無線基地局ＢＴＳは、中継装置１０内の処理遅延時間と中継装置１０における無線装置ＲＥの往復遅延時間ＲＴＴとに基づいて、第２同期要求信号送信部１２によって送信されるフレームの送信タイミングを調整するように構成されているタイミング調整部１５を具備し、各無線装置制御装置ＲＥＣ＃１、ＲＥＣ＃２は、第１同期信号の送信時刻Ｒ１と第４同期信号の受信時刻Ｒ４との差Ｔ１４に基づいて、各無線装置制御装置ＲＥＣ＃１、ＲＥＣ＃２における無線装置ＲＥの往復遅延時間ＲＴＴを算出するように構成されている。
2011074664.tif 000002
【特許請求の範囲】
【請求項１】
物理回線を介して接続されている無線装置制御装置と中継装置と無線装置とを具備する無線基地局であって、
フレーム内の所定位置に挿入されて送信される同期信号は、前記無線装置制御装置と前記中継装置との間の第１リンクで終端し、及び、該中継装置と前記無線装置との間の第２リンクで終端するように構成されており、
前記中継装置は、
前記第１リンクを介して前記無線装置制御装置から受信したフレーム内の所定位置から第１同期信号を抽出するように構成されている第１同期信号受信部と、
抽出された前記第１同期信号に応じて、前記第２リンクを介して、前記無線装置に対して、フレーム内の所定位置に第２同期信号を挿入して送信するように構成されている第２同期信号送信部と、
前記第２リンクを介して前記無線装置から受信したフレーム内の所定位置から第３同期信号を抽出するように構成されている第３同期信号受信部と、
抽出された前記第３同期信号に応じて、前記第２リンクを介して、前記無線装置制御装置に対して、フレーム内の所定位置に第４同期信号を挿入して送信するように構成されている第４同期信号送信部と、
前記中継装置内の処理遅延時間と該中継装置における前記無線装置の往復遅延時間とに基づいて、前記第２同期信号送信部によって送信される前記フレームの送信タイミングを調整するように構成されているタイミング調整部とを具備し、
前記無線装置制御装置は、前記第１同期信号の送信時刻と前記第４同期信号の受信時刻との差に基づいて、該無線装置制御装置における前記無線装置の往復応答時間を算出するように構成されていることを特徴とする無線基地局。
【請求項２】
前記タイミング調整部は、前記第１同期信号の受信時刻と前記第２同期信号の送信時刻との差と、該第２同期信号の送信時刻と前記第３同期信号の受信時刻との差と、該第３同期信号の受信時刻と前記第４同期信号の送信時刻との差とによって、前記中継装置内の処理遅延時間と該中継装置における前記無線装置の往復遅延時間との合計時間を算出し、該合計時間だけ、前記第２同期信号送信部によって送信される前記フレームの送信タイミングを遅らせるように構成されていることを特徴とする請求項１に記載の無線基地局。
【請求項３】
物理回線を介して無線装置制御装置と無線装置とに接続されており、無線基地局内に設けられている中継装置であって、
フレーム内の所定位置に挿入されて送信される同期信号は、前記無線装置制御装置と前記中継装置との間の第１リンクで終端し、及び、該中継装置と前記無線装置との間の第２リンクで終端するように構成されており、
前記第１リンクを介して前記無線装置制御装置から受信したフレーム内の所定位置から第１同期信号を抽出するように構成されている第１同期信号受信部と、
抽出された前記第１同期信号に応じて、前記第２リンクを介して、前記無線装置に対して、フレーム内の所定位置に第２同期信号を挿入して送信するように構成されている第２同期信号送信部と、
前記第２リンクを介して前記無線装置から受信したフレーム内の所定位置から第３同期信号を抽出するように構成されている第３同期信号受信部と、
抽出された前記第３同期信号に応じて、前記第１リンクを介して、前記無線装置制御装置に対して、フレーム内の所定位置に第４同期信号を挿入して送信するように構成されている第４同期信号送信部と、
前記中継装置内の処理遅延時間と該中継装置における前記無線装置の往復遅延時間とに基づいて、前記第２同期信号送信部によって送信される前記フレームの送信タイミングを調整するように構成されているタイミング調整部とを具備することを特徴とする中継装置。
【請求項４】
前記タイミング調整部は、前記第１同期信号の受信時刻と前記第２同期信号の送信時刻との差と、該第２同期信号の送信時刻と前記第３同期信号の受信時刻との差と、該第３同期信号の受信時刻と前記第４同期信号の送信時刻との差とによって、前記中継装置内の処理遅延時間と該中継装置における往復遅延時間との合計時間を算出し、該合計時間だけ、前記第２同期信号送信部によって送信される前記フレームの送信タイミングを遅らせるように構成されていることを特徴とする請求項３に記載の中継装置。
【発明の詳細な説明】
【技術分野】
【０００１】
本発明は、無線基地局及び中継装置に関する。
【背景技術】
【０００２】
従来、ＣＰＲＩ（Ｃｏｍｍｏｎ  Ｐｕｂｌｉｃ  Ｒａｄｉｏ  Ｉｎｔｅｒｆａｃｅ）によって、無線装置ＲＥ（Ｒａｄｉｏ  Ｅｑｕｉｐｍｅｎｔ）と無線装置制御装置ＲＥＣ（Ｒａｄｉｏ  Ｅｑｕｉｐｍｅｎｔ  Ｃｏｎｔｒｏｌ）とを具備しており、無線装置ＲＥと無線装置制御装置ＲＥＣとの間で光回線或いは電気回線等の物理回線を介して信号を送受信するように構成されている無線基地局ＢＴＳ（Ｂａｓｅ  Ｔｒａｎｓｃｅｉｖｅｒ  Ｓｔａｔｉｏｎ）が規定されている。【０００３】
図５に示すように、無線装置制御装置ＲＥＣ及び無線装置ＲＥは、各ハイパーフレームの先頭位置に同期信号「ＳＹＮＣ」を挿入して該フレームを送信する。無線装置制御装置ＲＥＣは、無線装置ＲＥに対して、各ハイパーフレーム内の「ＳＹＮＣ」に第１同期信号を挿入して送信し、無線装置ＲＥから、各ハイパーフレーム内の「ＳＹＮＣ」に挿入されている第２同期信号を取得するように構成されている。【０００４】
ここで、無線装置制御装置ＲＥＣは、第１同期信号の送信時刻Ｒ１と第２同期信号の受信時刻Ｒ４との差Ｔ１４によって、無線装置制御装置ＲＥＣにおける無線装置ＲＥの往復遅延時間ＲＴＴ（Ｒｏｕｎｄ  Ｔｒｉｐ  Ｔｉｍｅ）を算出することができる。
【先行技術文献】
【非特許文献】
【０００５】
【非特許文献１】ＣＰＲＩ  Ｓｐｅｃｉｆｉｃａｔｉｏｎ  Ｖ４.０（http://www.cpri.info/spec.html）、２００８年６月３０日
【発明の概要】
【０００６】
近年、ＣＰＲＩにおいて、Ｗ-ＣＤＭＡ方式用の無線装置制御装置ＲＥＣ及びＬＴＥ（Ｌｏｎｇ  Ｔｅｒｍ  Ｅｖｏｌｕｔｉｏｎ）方式用の無線装置制御装置ＲＥＣの双方を搭載する無線基地局ＢＴＳの実現が検討されている。
【０００７】
ここで、上述の同期信号は、図６に示すように、無線装置制御装置ＲＥＣと中継装置との間の第１リンクで終端し、及び、中継装置と無線装置ＲＥとの間の第２リンクで終端するように構成されている。
【０００８】
この場合、かかる無線基地局ＢＴＳでは、第１リンクと第２リンクとの間でフレームタイミングが異なる。図６に示す装置構成において、従来このフレームタイミングの差異を認識できなかったため、各無線装置制御装置ＲＥＣは、無線装置ＲＥの往復遅延時間ＲＴＴを正確に算出することができないという問題点があった。
【０００９】
そこで、本発明は、上述の課題に鑑みてなされたものであり、中継装置が設けられている場合であっても、各無線装置制御装置ＲＥＣにおける無線装置ＲＥの往復遅延時間を正確に算出することができる無線基地局及び中継装置を提供することを目的とする。
【００１０】
本発明の第１の特徴は、物理回線を介して接続されている無線装置制御装置と中継装置と無線装置とを具備する無線基地局であって、フレーム内の所定位置に挿入されて送信される同期信号は、前記無線装置制御装置と前記中継装置との間の第１リンクで終端し、及び、該中継装置と前記無線装置との間の第２リンクで終端するように構成されており、前記中継装置は、前記第１リンクを介して前記無線装置制御装置から受信したフレーム内の所定位置から第１同期信号を抽出するように構成されている第１同期信号受信部と、抽出された前記第１同期信号に応じて、前記第２リンクを介して、前記無線装置に対して、フレーム内の所定位置に第２同期信号を挿入して送信するように構成されている第２同期信号送信部と、前記第２リンクを介して前記無線装置から受信したフレーム内の所定位置から第３同期信号を抽出するように構成されている第３同期信号受信部と、抽出された前記第３同期信号に応じて、前記第１リンクを介して、前記無線装置制御装置に対して、フレーム内の所定位置に第４同期信号を挿入して送信するように構成されている第４同期信号送信部と、前記中継装置内の処理遅延時間と該中継装置における前記無線装置の往復遅延時間とに基づいて、前記第２同期信号送信部によって送信される前記フレームの送信タイミングを調整するように構成されているタイミング調整部とを具備し、前記無線装置制御装置は、前記第１同期要求の送信時刻と前記第４同期信号の受信時刻との差に基づいて、該無線装置制御装置における前記無線装置の往復遅延時間を算出するように構成されていることを要旨とする。
【００１１】
本発明の第１の特徴において、前記タイミング調整部は、前記第１同期信号の受信時刻と前記第２同期信号の送信時刻との差と、該第２同期信号の送信時刻と前記第３同期信号の受信時刻との差と、該第３同期信号の受信時刻と前記第４同期信号の送信時刻との差とによって、前記中継装置内の処理遅延時間と該中継装置における前記無線装置の往復遅延時間との合計時間を算出し、該合計時間だけ、前記第２同期信号送信部によって送信される前記フレームの送信タイミングを遅らせるように構成されていてもよい。
【００１２】
本発明の第２の特徴は、物理回線を介して無線装置制御装置と無線装置とに接続されており、無線基地局内に設けられている中継装置であって、フレーム内の所定位置に挿入されて送信される同期信号は、前記無線装置制御装置と前記中継装置との間の第１リンクで終端し、及び、該中継装置と前記無線装置との間の第２リンクで終端するように構成されており、前記第１リンクを介して前記無線装置制御装置から受信したフレーム内の所定位置から第１同期信号を抽出するように構成されている第１同期信号受信部と、抽出された前記第１同期信号に応じて、前記第２リンクを介して、前記無線装置に対して、フレーム内の所定位置に第２同期信号を挿入して送信するように構成されている第２同期信号送信部と、前記第２リンクを介して前記無線装置から受信したフレーム内の所定位置から第３同期信号を抽出するように構成されている第３同期信号受信部と、抽出された前記第３同期信号に応じて、前記第１リンクを介して、前記無線装置制御装置に対して、フレーム内の所定位置に第４同期信号を挿入して送信するように構成されている第４同期信号送信部と、前記中継装置内の処理遅延時間と該中継装置における前記無線装置の往復遅延時間とに基づいて、前記第２同期信号送信部によって送信される前記フレームの送信タイミングを調整するように構成されているタイミング調整部とを具備することを要旨とする。
【００１３】
本発明の第２の特徴において、前記タイミング調整部は、前記第１同期信号の受信時刻と前記第２同期信号の送信時刻との差と、該第２同期信号の送信時刻と前記第３同期信号の受信時刻との差と、該第３同期信号の受信時刻と前記第４同期信号の送信時刻との差とによって、前記中継装置内の処理遅延時間と該中継装置における前記無線装置の往復遅延時間との合計時間を算出し、該合計時間だけ、前記第２同期信号送信部によって送信される前記フレームの送信タイミングを遅らせるように構成されていてもよい。
【図面の簡単な説明】
【００１４】
【図１】図１は、本発明の第１の実施形態に係る無線基地局の機能ブロック図である。
【図２】図２は、本発明の第１の実施形態に係る無線基地局を構成する無線装置と中継装置と無線装置制御装置との間で用いられるプロトコルスタックを示す図である。
【図３】図３は、本発明の第１の実施形態に係る中継装置の機能ブロック図である。
【図４】図４は、本発明の第１の実施形態に係る無線基地局の動作を説明するための図である。
【図５】図５は、従来の無線基地局の動作を説明するための図である。
【図６】図６は、従来の無線基地局における同期信号の終端位置を示す図である。
【発明を実施するための形態】
【００１５】
（本発明の第１の実施形態に係る無線基地局）
図１乃至図４を参照して、本発明の第１の実施形態に係る無線基地局について説明する。
【００１６】
図１に示すように、本実施形態に係る無線基地局ＢＴＳは、無線装置ＲＥと、中継装置１０と、複数の無線装置制御装置ＲＥＣ＃１、ＲＥＣ＃２とを具備している。
【００１７】
ここで、無線装置ＲＥ、中継装置１０及び無線装置制御装置ＲＥＣ＃１、ＲＥＣ＃２は、それぞれ別個の装置であり、光回線或いは電気回線等の物理回線によって互いに接続されている。例えば、無線装置ＲＥや中継装置１０や無線装置制御装置ＲＥＣ＃１、ＲＥＣ＃２は、ＣＰＲＩによって規定されているものである。
【００１８】
例えば、無線装置制御装置ＲＥＣ＃１は、Ｗ-ＣＤＭＡ方式用の無線装置制御装置ＲＥＣであり、無線装置制御装置ＲＥＣ＃２は、ＬＴＥ方式用の無線装置制御装置ＲＥＣである。以下、無線装置制御装置ＲＥＣ＃１及びＲＥＣ＃２を統括して、無線装置制御装置ＲＥＣと呼ぶ。
【００１９】
ここで、図２を参照して、無線装置ＲＥと中継装置１０と無線装置制御装置ＲＥＣとの間で用いられるプロトコルスタックについて説明する。
【００２０】
図２に示すように、無線装置制御装置ＲＥＣと中継装置１０との間の第１リンク及び中継装置１０と無線装置ＲＥとの間の第２リンクにおいて、レイヤ２情報として、「ユーザプレーン（Ｕｓｅｒ  Ｐｌａｎｅ）情報」や「コントロール＆マネージメントプレーン（Ｃｏｎｔｒｏｌ  ＆  Ｍａｎａｇｅｍｅｎｔ  Ｐｌａｎｅ）情報」や「ＳＹＮＣ情報（同期信号）」が送受信されるように構成されている。
【００２１】
すなわち、第１リンク及び第２リンク上を送受信されるフレームにおいて、ユーザプレーン情報は、ユーザプレーン情報用領域に挿入され、コントロール＆マネージメントプレーン情報は、コントロール＆マネージメントプレーン情報用領域に挿入され、ＳＹＮＣ情報（同期信号）は、ＳＹＮＣ情報用領域に挿入される。
【００２２】
また、無線装置制御装置ＲＥＣと中継装置１０との間の第１リンク及び中継装置１０と無線装置ＲＥとの間の第２リンクにおいて、レイヤ２情報として、「ＩＱデータ」や「ベンダー独自（Ｖｅｎｄｅｒ  Ｓｐｅｃｉｆｉｃ）データ」や「イーサネット（登録商標）データ」や「ＨＤＬＣデータ」や「Ｌ１インバンドプロトコル（Ｌ１  Ｉｎｂａｎｄ  Ｐｒｏｔｏｃｏｌ）データ」等が送受信されるように構成されている。
【００２３】
すなわち、第１リンク及び第２リンク上を送受信されるフレームにおいて、ＩＱデータは、ＩＱデータ用領域に挿入され、ベンダー独自データは、ベンダー独自データ用領域に挿入され、イーサネット（登録商標）データは、イーサネット（登録商標）データ用領域に挿入され、ＨＤＬＣデータは、ＨＤＬＣデータ用領域に挿入され、Ｌ１インバンドプロトコルデータは、Ｌ１インバンドプロトコルデータ用領域に挿入される。
【００２４】
このように、レイヤ３情報及びレイヤ２情報の各々は、第１リンク及び第２リンクで終端するように構成されている。
【００２５】
図３に示すように、中継装置１０は、第１同期信号受信部１１と、第２同期信号送信部１２と、第３同期信号受信部１３と、第４同期信号送信部１４と、タイミング調整部１５とを具備している。
【００２６】
第１同期信号受信部１１は、第１リンクを介して無線装置制御装置ＲＥＣから受信したフレーム内の所定位置（ＳＹＮＣ情報用領域）から第１同期信号を抽出するように構成されている。
【００２７】
第２同期信号送信部１２は、第１同期信号受信部１１によって抽出された第１同期信号に応じて、第２リンクを介して、無線装置ＲＥに対して、フレーム内の所定位置（ＳＹＮＣ情報用領域）に第２同期信号を挿入して送信するように構成されている。
【００２８】
第３同期信号受信部１３は、第２リンクを介して無線装置ＲＥから受信したフレーム内の所定位置（ＳＹＮＣ情報用領域）から、上述の第２同期信号に対応する第３同期信号を抽出するように構成されている。
【００２９】
第４同期信号送信部１４は、第３同期信号受信部１３によって抽出された第３同期信号に応じて、第１リンクを介して、無線装置制御装置ＲＥＣに対して、フレーム内の所定位置（ＳＹＮＣ情報用領域）に第４同期信号を挿入して送信するように構成されている。
【００３０】
タイミング調整部１５は、中継装置１０内の処理遅延時間と中継装置１０における無線装置ＲＥの往復遅延時間ＲＴＴとに基づいて、第２同期信号送信部１４によって送信されるフレームの送信タイミングを調整するように構成されている。
【００３１】
ここで、図４を参照して、かかるフレームの送信タイミングの調整方法について説明する。なお、図４の例では、所定位置（ＳＹＮＣ情報用領域）は、フレーム内で、ＢＦＮ（ＮｏｄｅＢ  Ｆｒａｍｅ  Ｎｕｍｂｅｒ）＃０及びＨＦＮ（Ｈｙｐｅｒ  Ｆｒａｍｅ  Ｎｕｍｂｅｒ）＃０によって特定される領域Ａ内に設けられているものとする。
【００３２】
図４において、時刻Ｒ１において、無線装置制御装置ＲＥＣが、中継装置１０に対して、フレーム内の所定位置（ＳＹＮＣ情報用領域）に第１同期信号を挿入して送信し、時刻ＲＢ２において、中継装置１０の第１同期信号送信部１２が、かかるフレーム内の所定位置（ＳＹＮＣ情報用領域）から第１同期信号を取得する。したがって、無線装置制御装置ＲＥＣにおける第１同期信号の送信時刻Ｒ１と中継装置１０における第１同期信号の受信時刻ＲＢ２との差が「Ｔ１２（１）」である。
【００３３】
時刻ＲＢ１において、中継装置１０の第２同期信号送信部１２が、無線装置ＲＥに対して、フレーム内の所定位置（ＳＹＮＣ情報用領域）に第２同期信号を挿入して送信する。したがって、中継装置１０における第１同期信号の受信時刻ＲＢ２と中継装置１０における第２同期信号の送信時刻ＲＢ１との差が「中継装置１０内の遅延時間」である。
【００３４】
時刻Ｒ２において、無線装置ＲＥが、かかるフレーム内の所定位置（ＳＹＮＣ情報用領域）から第２同期信号を取得する。したがって、中継装置１０における第２同期信号の送信時刻ＲＢ１と無線装置ＲＥにおける第２同期信号の受信時刻Ｒ２の差が「Ｔ１２（２）」である。
【００３５】
時刻Ｒ３において、無線装置ＲＥが、中継装置１０に対して、フレーム内の所定位置（ＳＹＮＣ情報用領域）に第３同期信号を挿入して送信する。したがって、無線装置ＲＥにおける第２同期信号の受信時刻Ｒ２と無線装置ＲＥにおける第３同期信号の送信時刻Ｒ３との差が「無線装置ＲＥ内の遅延時間（Ｔｏｆｆｓｅｔ）」である。
【００３６】
時刻ＲＥ４において、中継装置１０の第３同期信号受信部１３が、かかるフレーム内の所定位置（ＳＹＮＣ情報用領域）から第３同期信号を取得する。したがって、無線装置ＲＥにおける第３同期信号の送信時刻Ｒ３と中継装置１０における第３同期応答信号の受信時刻ＲＢ４の差が「Ｔ１２（２）」である。
【００３７】
時刻ＲＢ３において、中継装置１０の第４同期信号送信部１４が、無線装置制御装置ＲＥＣに対して、フレーム内の所定位置（ＳＹＮＣ情報用領域）に第４同期信号を挿入して送信する。したがって、中継装置１０における第３同期信号の受信時刻ＲＢ４と中継装置１０における第４同期信号の送信時刻ＲＢ３との差が「中継装置１０内の遅延時間」である。
【００３８】
時刻Ｒ４において、無線装置制御装置ＲＥＣが、かかるフレーム内の所定位置（ＳＹＮＣ情報用領域）から第４同期信号を取得する。したがって、中継装置１０における第４同期信号の受信時刻ＲＢ３と無線装置制御装置ＲＥＣにおける第４同期信号の送信時刻Ｒ４との差が「Ｔ１２（１）」である。
【００３９】
上述のように、無線装置制御装置ＲＥＣにおける第１同期信号の送信時刻Ｒ１と無線装置制御装置ＲＥＣにおける第４同期信号の受信時刻Ｒ４との差「Ｔ１４」は、「Ｔ１２（１）」＋「中継装置１０内の遅延時間」＋「Ｔ１２（２）」＋「無線装置ＲＥ内の遅延時間（Ｔｏｆｆｓｅｔ）」＋「Ｔ１２（２）」＋「中継装置１０内の遅延時間」＋「Ｔ１２（１）」によって算出される。
【００４０】
かかる差「Ｔ１４」は、無線装置制御装置ＲＥＣにおける無線装置ＲＥの往復遅延時間ＲＴＴに対応する。
【００４１】
ここで、無線装置制御装置ＲＥＣにおける無線装置ＲＥの往復遅延時間ＲＴＴは、無線装置制御装置ＲＥＣにおける第１同期信号の送信時刻Ｒ１と無線装置制御装置ＲＥＣにおける第４同期信号の受信時刻Ｒ４との差によって算出される。
【００４２】
すなわち、無線装置制御装置ＲＥＣは、第１同期信号の送信時刻Ｒ１と第４同期信号の受信時刻Ｒ４との差に基づいて、無線装置制御装置ＲＥＣにおける無線装置ＲＥの往復遅延時間ＲＴＴを算出するように構成されていることを要旨とする。
【００４３】
また、中継装置１０における無線装置ＲＥの往復遅延時間ＲＴＴは、中継装置１０における第２同期信号の送信時刻ＲＢ１と中継装置１０における第３同期信号の受信時刻ＲＢ４との差によって算出される。
【００４４】
すなわち、タイミング調整部１５は、第２同期信号の送信時刻ＲＢ１と第３同期信号の受信時刻ＲＢ４との差に基づいて、中継装置１０における無線装置ＲＥの往復遅延時間ＲＴＴを算出するように構成されている。
【００４５】
具体的には、タイミング調整部１５は、第１同期信号の受信時刻ＲＢ２と第２同期信号の送信時刻ＲＢ１との差（「中継装置１０内の遅延時間」）と、第２同期信号の送信時刻ＲＢ１と第３同期信号の受信時刻ＲＢ４との差（「Ｔ１２（２）」＋「無線装置ＲＥ内の遅延時間（Ｔｏｆｆｓｅｔ）」＋「Ｔ１２（２）」）と、第３同期信号の受信時刻ＲＢ４と第４同期信号の送信時刻ＲＢ３との差（「中継装置１０内の遅延時間」）とによって、中継装置１０内の処理遅延時間と中継装置１０における無線装置ＲＥの往復遅延時間ＲＴＴとの合計時間（「中継装置１０内の遅延時間」＋「Ｔ１２（２）」＋「無線装置ＲＥ内の遅延時間（Ｔｏｆｆｓｅｔ）」＋「Ｔ１２（２）」＋「中継装置１０内の遅延時間」）を算出し、かかる合計時間だけ、第２同期信号送信部１４によって送信されるフレームの送信タイミングを遅らせるように構成されていてもよい。このようにフレームの送信タイミングを遅らせることによって、図６に示す第１リンクと第２リンクとの間にフレームタイミングの差異が存在する場合においても、無線装置制御装置ＲＥＣに変更を加えることなく、無線装置ＲＥの往復遅延時間ＲＴＴを正確に算出することができる。
【００４６】
（本発明の第１の実施形態に係る無線基地局の作用・効果）
本発明の第１の実施形態に係る無線基地局ＢＴＳによれば、中継装置１０が設けられている場合であっても、各無線装置制御装置ＲＥＣ＃１、ＲＥＣ＃２は、中継装置１０の存在を意識することなく、各無線装置制御装置ＲＥＣ＃１、ＲＥＣ＃２における無線装置ＲＥの往復遅延時間ＲＴＴ（Ｔ１４）を正確に算出することができる。
【００４７】
なお、上述の無線装置ＲＥ及び無線装置制御装置ＲＥＣの動作は、ハードウェアによって実施されてもよいし、プロセッサによって実行されるソフトウェアモジュールによって実施されてもよいし、両者の組み合わせによって実施されてもよい。
【００４８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線装置ＲＥ及び無線装置制御装置ＲＥＣ内に設けられていてもよい。また、かかる記憶媒体及びプロセッサは、ディスクリートコンポーネントとして無線装置ＲＥ及び無線装置制御装置ＲＥＣ内に設けられていてもよい。
【００５０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００５１】
なお、日本国特許出願第２００９−２８７７２３号（２００９年１２月１８日出願）の全内容が、参照により、本願明細書に組み込まれている。
【産業上の利用可能性】
【００５２】
本発明によれば、中継装置が設けられている場合であっても、各無線装置制御装置ＲＥＣにおける無線装置ＲＥの往復遅延時間を正確に算出することができる無線基地局及び中継装置を提供することができるため、無線通信などにおいて有用である。
【符号の説明】
【００５３】
ＲＥ…無線装置
ＲＥＣ…無線装置制御装置
１０…中継装置
１１…同期要求信号受信部
１２…同期要求信号送信部
１３…同期応答信号受信部
１４…同期応答信号送信部
１５…タイミング調整部
【図１】
2011074664.tif 000003
【図２】
2011074664.tif 000004
【図３】
2011074664.tif 000005
【図４】
2011074664.tif 000006
【図５】
2011074664.tif 000007
【図６】
2011074664.tif 000008
【国際調査報告】
2011074664.tif 000009
2011074664.tif 000010
2011074664.tif 000011
2011074664.tif 000012